(57)【要約】      （修正有）【課題】容易な操作でナイフ部へのカバーの掛け外しを行うことが可能な間接活線用先端工具を提供する。【解決手段】間接活線用先端工具１は、ナイフ部２０が形成された本体部２と、少なくともナイフ部２０の刃形成部２０ａを覆うカバー部３と、を有して構成される。本体部２は、円筒状に形成され、下端に共用操作棒４の接続部４１と接続するジョイント部２２を有して構成される。カバー部３は、板状に形成された板状部３１と、板状部３１の先端及び基端に形成された固定部３２ａ、３２ｂと、固定部３２ａ、３２ｂの間に配置される中間部３３と、を有して構成される。固定部３２ａ、３２ｂと中間部３３とは、互いに対峙する面において磁石が設けられる。固定部３２ａ、３２ｂと中間部３３とに設けられる磁石は、互いに引き合うように配置される。【選択図】図１
2018074696.tif 000002
【特許請求の範囲】
【請求項１】
ナイフ部が形成された本体部と、少なくとも前記ナイフ部の刃形成部を覆うカバー部と、を有し、
前記本体部は、円筒状に形成され、下端に操作棒の接続部と接続するジョイント部を有して構成され、
前記カバー部は、板状に形成された板状部と、前記板状部の先端及び基端に形成された固定部と、前記固定部間に設けられる中間部と、を有して構成され、
前記固定部と前記中間部とは、互いに対峙する面において磁石が設けられ、
前記固定部と前記中間部とに設けられる磁石は、互いに引き合うように配置されることを特徴とする間接活線用先端工具。
【請求項２】
前記カバー部の中間部は、前記本体部と一体に形成されることを特徴とする請求項１に記載の間接活線用先端工具。
【請求項３】
前記カバー部の中間部は、前記本体部を挿通可能に上面から底面にかけて貫通して形成された取付孔を有し、
前記中間部は、前記取付孔の内径を調整する径調整部を有することを特徴とする請求項１に記載の間接活線用先端工具。
【請求項４】
前記カバー部は、２つの板状部を有し、
前記板状部の基端に形成される固定部は、円筒状に形成され、中心を挟んだ対象となる位置に前記両板状部の基端が固定されることを特徴とする請求項１乃至３のいずれかに記載の間接活線用先端工具。
【請求項５】
前記カバー部は、１つの板状部を有し、
前記板状部の基端に形成される固定部は、ブロック状に形成されることを特徴とする請求項１乃至３のいずれかに記載の間接活線用先端工具。
【請求項６】
前記板状部は、前記ナイフ部の刃形成部に対峙する内側面が内側に湾曲して形成されることを特徴とする請求項１乃至５のいずれかに記載の間接活線用先端工具。
【請求項７】
前記板状部は、前記内側面の裏側に形成される外側面が前記内側面に沿って湾曲して形成されることを特徴とする請求項６に記載の間接活線用先端工具。
【発明の詳細な説明】
【技術分野】
【０００１】
本発明は、カマ型ナイフの間接活線用先端工具に関し、特に、カマ型ナイフのナイフ部を覆うカバーを設けたものに関する。
【背景技術】
【０００２】
絶縁テープの剥ぎ取り等の間接活線作業は、カマ型ナイフの間接活線用先端工具を共用操作棒に取り付けて行われている。
このカマ型ナイフの間接活線用先端工具は、鋭利なナイフ部を備えており、ナイフ部にカバーを掛けずに作業や持ち運びが行われるため安全性が問題視されている。
【０００３】
そこで、カマ型ナイフの未使用時にはナイフ部を間接活線用先端工具の筒体部（カバー）に収容するものがあり、一例としては、カバーを共用操作棒の軸方向にスライドさせることによりナイフを収容する先端工具が開示されている（特許文献１参照）。
【０００４】
この先端工具のカバーは、カバーの内側に設けられた係合突起を、先端工具の側面に設けられた溝部に係合させることによりロックされ、不意にカバーが外れて作業者が怪我をしないように設計されている。
【先行技術文献】
【特許文献】
【０００５】
【特許文献１】特開２０１５−０５７０２５号公報
【発明の概要】
【発明が解決しようとする課題】
【０００６】
しかしながら、特許文献１の先端工具では、ナイフ部を突出させるためには、カバーの係合を解除し、下方にカバーをスライドさせてナイフ部を突出させ、改めてカバーを係合固定しなければならないため、作業が煩雑な問題がある。
【０００７】
そこで、本発明は係る事情に鑑みてなされたものであり、容易な操作でナイフ部へのカバーの掛け外しを行うことが可能な間接活線用先端工具を提供することを主たる課題としている。
【課題を解決するための手段】
【０００８】
上記課題を達成するために、本発明に係る間接活線用先端工具は、ナイフ部が形成された本体部と、少なくとも前記ナイフ部の刃形成部を覆うカバー部と、を有し、前記本体部は、円筒状に形成され、下端に操作棒の接続部と接続するジョイント部を有して構成され、前記カバー部は、板状に形成された板状部と、前記板状部の先端及び基端に形成された固定部と、前記固定部間に設けられる中間部と、を有して構成され、前記固定部と前記中間部とは、互いに対峙する面において磁石が設けられ、前記固定部と前記中間部とに設けられる磁石は、互いに引き合うように配置されることを特徴としている。
【０００９】
したがって、所望の固定部を中間部に固定させるだけで、カバー部をナイフ部に掛けたり外したりすることができる。このため、作業者の怪我の防止を図りつつ、使用時には素早くナイフ部を露出させることが可能となり、作業の効率化を図ることができる。
【００１０】
また、カバー部の中間部は、本体部と一体に形成されるようにしてもよいし、本体部を挿通可能に上面から底面にかけて貫通して形成された取付孔を有し、前記取付孔の内径を調整する径調整部を有するようにしてもよい。
【００１１】
このように、間接活線用先端工具を構成することにより、カバー部が一体に構成された間接活線用先端工具については、軽量化を図ることができ、また、カバー部が別体に構成された間接活線用先端工具については、既存のカマ型ナイフの間接活線用先端工具を使用することが可能となる。
【００１２】
さらに、カバー部は、２つの板状部を有し、前記板状部の基端に形成される固定部は、円筒状に形成され、中心を挟んだ対象となる位置に前記両板状部の基端が固定されるカバー部は、２つの板状部を有し、板状部の基端に形成される固定部は、円筒状に形成されるようにしてもよいし、前記カバー部は、１つの板状部を有し、板状部の基端に形成される固定部は、ブロック状に形成されるようにしてもよい。
【００１３】
このように、間接活線用先端工具を構成することにより、板状部を２箇所に構成した場合には、スムーズにカバー部をスライド移動させることが可能となる。また、板状部を１箇所にして構成した場合には、間接活線用先端工具の軽量化を図ることが可能となる。
【００１４】
さらにまた、板状部は、ナイフ部の刃形成部に対峙する内側面が内側に湾曲して形成されるようにしてもよいし、板状部は、対峙面の裏側に形成される外側面が前記内側面に沿って湾曲して形成されるようにしてもよい。
【００１５】
このように、内側面を内側に湾曲して構成することにより、ナイフ部の刃形成部を覆う範囲を広くすることができる。また、内側面だけなく外側面も湾曲して形成することにより、板状部をスライドさせたときに、板状部がふらつくことなく安定した動作を実現することが可能となる。
【発明の効果】
【００１６】
以上述べたように、本発明に係る間接活線用先端工具によれば、カバー部をナイフ部に容易に掛けたり外したりすることができるため、作業の効率化を図ることができるため、迅速な作業を実現することが可能となる。
【００１７】
また、カバー部が一体に構成された間接活線用先端工具については、軽量化を図ることができるため、作業者の疲労を軽減することができる。
また、カバー部が別体に構成された間接活線用先端工具については、既存のカマ型ナイフの間接活線用先端工具を使用することが可能となるため、導入コストを減らすことができる。
【００１８】
さらに、板状部を２箇所に構成した場合には、スムーズにカバー部をスライド移動させることが可能となるため、素早く確実にカバー部の掛け外しをすることが可能となる。
また、板状部を１箇所にして構成した場合には、間接活線用先端工具の軽量化を図ることが可能となるため、作業者の疲労を軽減することができる。
【００１９】
さらにまた、内側面を内側に湾曲して構成することにより、ナイフ部の刃形成部を覆う範囲を広くすることができるため、より高い安全性を確保することが可能となる。
また、内側面だけなく外側面も湾曲して形成することにより、板状部をスライドさせたときに、板状部がふらつくことなく安定した動作を実現することが可能となるため、スムーズなカバー部の掛け外しを実現することができる。
【図面の簡単な説明】
【００２０】
【図１】図１は、実施例１に係る本間接活線用先端工具の全体構成を示す正面図であり、（ａ）は、本体部をカバー部に収容させた状態を示す図であり、（ｂ）は、本体部を露出させた状態を示す図である。
【図２】図２は、実施例１に係る本間接活線用先端工具の斜視図であり、（ａ）は、ナイフ部にカバー部が掛かった状態を示すものであり、（ｂ）は、ナイフ部にカバー部が外された状態を示すものである。
【図３】図３は、実施例２に係る本間接活線用先端工具の斜視図であり、（ａ）は、ナイフ部にカバー部が掛かった状態を示すものであり、（ｂ）は、ナイフ部にカバー部が外された状態を示すものである。
【図４】図４は、実施例３に係る本間接活線用先端工具の全体構成を示す--正面図であり、（ａ）は、本体部をカバー部に収容させた状態を示す図であり、（ｂ）は、本体部を露出させた状態を示す図である。
【図５】図５は、実施例３に係る本間接活線用先端工具の斜視図であり、（ａ）は、本体部を示すものであり、（ｂ）は、カバー部を示すものである。
【発明を実施するための形態】
【実施例１】
【００２１】
以下、本発明に係る間接活線用先端工具について、図面を参照しながら説明する。
図１において、間接活線用先端工具１は、ナイフ部２０が形成された本体部２と、少なくともナイフ部２０の刃形成部２０ａを覆うカバー部３と、を有して構成されている。
【００２２】
本体部２は、図２にも示すように、ナイフ部２０と、ナイフ部２０を支持する支持部２１と、支持部２１の下端に形成され共用操作棒４の接続部４１と接続するジョイント部２２と、を有して構成されている。
【００２３】
ナイフ部２０は、波型に形成された刃形成部２０ａと、この刃形成部２０ａの反対側（裏側）に形成された峰部２０ｂとを有して構成されている。
【００２４】
支持部２１は、図２にも示すように、ジョイント部２２よりも拡径した円筒状に形成されたもので、軸方向の中心にナイフ部２０の刀身が固定されている。
【００２５】
ジョイント部２２は、中空の筒状に形成され、外周面の一部に略Ｔ字状に切欠いて形成された切欠き部２２ａが中心を挟んだ対称となる位置に２箇所設けられている。
したがって、この切欠き部２２ａに共用操作棒４の先端に形成された接続部４１を挿入し、係合させることにより共用操作棒４と接続される。
【００２６】
カバー部３は、図２にも示すように、板状に形成された２つの板状部３１と、板状部３１の先端に形成された先端固定部３２ａ及び基端に形成された基端固定部３２ｂと、これらの固定部３２ａ，３２ｂの間に配置され支持部２１と一体に形成された中間部３３と、を有して構成されている。
【００２７】
板状部３１は、ナイフ部２０の刃形成部２０ａと峰部２０ｂを覆うように、中間部３３の中心を挟んだ対称となる位置の２箇所に設けられたもので、板状部３１の刃形成部２０ａ又は峰部２０ｂに対峙する内側面３１ａは内側（径方向の外側方向）が肉薄になるように内部に向かって湾曲して形成されている。
【００２８】
また、内側面３１ａの裏側に形成される外側面３１ｂも、内側面３１ａに沿って湾曲して形成されている。
なお、板状部３１は、絶縁性能を有する樹脂部材や、鉄線等の任意の金属で構成するようにしてもよい。
【００２９】
先端固定部３２ａは、後述する中間部３３に形成された挿通孔よりも大きいブロック状に形成されたもので、側面は、板状部３１の側面の湾曲に沿って形成され、上面及び底面も、この湾曲形状に沿って切欠いて形成されている。
また、中間部３３と対峙する底面全体に磁石（図示せず）が設けられている。
【００３０】
基端固定部３２ｂは、円筒状に形成されるもので、中心を挟んで対称となる位置（後述する挿通孔が形成される位置に対して軸方向の真下）に両板状部３１が固定されている。
また、中間部３３と対峙する上面全体に磁石（図示せず）が設けられている。
【００３１】
中間部３３には、板状部３１を挿通可能に挿通孔（図示せず）が２箇所に形成されている。この挿通孔は、板状部３１の形状に沿うように中間部３３の上面から見るとＵ字状に形成されている。
【００３２】
上面に設けられた挿通孔の近傍には、孔の周囲を覆うように磁石（図示せず）が設けられている。
また、中間部３３の底面全体に磁石（図示せず）が設けられている。
したがって、先端固定部３２ａ及び基端固定部３２ｂと、中間部３３とは、互いに対峙する面において磁石が設けられている。
【００３３】
なお、先端固定部３２ａ及び基端固定部３２ｂに設けられた磁石と、中間部３３に設けられた磁石とは、それぞれ引き合うように配置されている。このため、いずれかの固定部３２ａ，３２ｂを選択して中間部３３に磁力により固定することが可能である。
【００３４】
したがって、カバー部３を本体部２に掛けるときは、基端固定部３２ｂを中間部３３の底面と引き合うようにスライドさせて磁力で固定することにより、カバー部３が固定部５により固定されナイフ部２０を被覆される。
【００３５】
一方、カバー部３を外す際には、先端固定部３２ａを中間部３３の上面と引き合うようにスライドさせて磁力により固定する。
【００３６】
なお、本実施例では、共用操作棒に接続可能なカマ型ナイフとして説明したが、これには限られず、例えば、菊座アダプタによって操作棒と接続するカマ型ナイフについても実施することが可能となる。
また、本実施例においては、板状部３１の内側面３１ａ及び外側面３１ｂを湾曲して形成するようにしたが、内側面３１ａのみを湾曲して形成してもよい。
【００３７】
以上述べたように、本発明に係る間接活線用先端工具１によれば、カバー部３をナイフ部２０に容易に掛けたり外したりすることができるため、作業の効率化を図ることができるため、迅速な作業を実現することが可能となる。
【００３８】
また、カバー部３が一体に構成された本実施例の間接活線用先端工具１については、軽量化を図ることができるため、作業者の疲労を軽減することができる。
【００３９】
さらに、板状部３１を２箇所に構成した本実施例の間接活線用先端工具１は、スムーズにカバー部３をスライド移動させることが可能となるため、素早く確実にカバー部３の掛け外しをすることが可能となる。
【００４０】
さらにまた、内側面３１ａを内側に湾曲して構成することにより、ナイフ部２０の刃形成部２０ａを覆う範囲を広くすることができるため、より高い安全性を確保することが可能となる。
また、内側面３１ａだけなく外側面３１ｂも湾曲して形成することにより、板状部３１をスライドさせたときに、板状部３１がふらつくことなく安定した動作を実現することが可能となるため、スムーズなカバー部３の掛け外しを実現することができる。
【実施例２】
【００４１】
上述の実施例においては、板状部３１は２つ形成されるものであったが、１つの板状部３１で実施するようにしてもよい。
なお、実施例１と同じ構成については、同一箇所に同一符号を付して説明を省略し、以後の実施例についても同様とする。
【００４２】
カバー部３は、ナイフ部２０の刃形成部２０ａに対峙する位置に１つの板状部３１が設けられている。
基端固定部３２ｂは、先端固定部３２ａと略同等の大きさのブロック状に形成されるもので、中間部３３と対峙する上面には中間部３３の底面と互いに引き合うように磁石が設けられている。
【００４３】
以上のように、板状部３１を１箇所にして構成した場合には、間接活線用先端工具１の軽量化を図ることが可能となるため、作業者の疲労を軽減することができる。
【実施例３】
【００４４】
上述の構成においては、中間部３３は支持部２１と一体に構成されるものであったが、中間部３３と支持部２１とを別体にして構成してもよい。
【００４５】
図４及び５に示すように、カバー部３の中間部３３は、本体部２を挿通可能に上面から底面にかけて貫通して形成された取付孔３４を有し、この取付孔３４の内径を調整する径調整部３５を有する。
【００４６】
径調整部３５は、中間部３３に形成されたボルト孔（図示せず）と、このボルト孔に螺合可能に形成された調整ボルト３６と、によって構成されている。
すなわち、調整ボルト３６を締め付けることによって、取付孔３４の径が狭まり間接活線用先端工具１の支持部２１に取り付け可能に形成されている。
【００４７】
以上のように、本実施例の間接活線用先端工具１によれば、既存のカマ型ナイフの間接活線用先端工具１を使用することが可能となるため、導入コストを減らすことができる。
【符号の説明】
【００４８】
１  間接活線用先端工具
２  本体部
２０  ナイフ部
２０ａ  刃形成部
２２  ジョイント部
３  カバー部
３１  板状部
３１ａ  内側面
３１ｂ  外側面
３２ａ  先端固定部
３２ｂ  基端固定部
３３  中間部
３４  取付孔
３５  径調整部
３６  調整ボルト
【図１】
2018074696.tif 000003
【図２】
2018074696.tif 000004
【図３】
2018074696.tif 000005
【図４】
2018074696.tif 000006
【図５】
2018074696.tif 000007